(57)【要約】【課題】撮像装置に表示部を有し、再生画を観賞可能なものにおいて、ユーザーにとって観賞しやすくなるように表示部をユーザーの視線に対して直角に近くなるように傾ける必要がある。また、撮像装置は縦、横と姿勢考えられるため、各姿勢に対して安定した姿勢保持方法をとる必要がある。【解決手段】重心位置を変えることが可能な可動部を持つ撮像装置において、再生モード時に面取り形状を利用して載地面に対して傾きを持たせ、可動部を動かすことで重心バランスをとり、各姿勢に対して安定した姿勢を保持する。【選択図】図２（ａ）
2014171135.tif 000002
【特許請求の範囲】
【請求項１】
重心位置を変えることが可能な可動部と、表示部とを備え、通常撮影を行う第１のモードと撮影画像を表示する第２のモードの少なくとも２つのモードを持つ撮影装置に於いて、第１の設置面と、前記表示部を傾斜させて置くことを可能とする第２の設置面を備え、前記第２のモード時に前記可動部の第１の移動量を動かすことで前記第２の設置面に於いて安定した姿勢を保持することを特徴とする撮像装置。
【請求項２】
前記第２設置面に対し、前記表示部を９０°回転して設置可能で且つ、前記表示部を傾斜させて置くことを可能とする第３の設置面を持ち、前記第２のモード時に前記可動部の第２の移動量を動かすことで前記第３の設置面に於いて安定した姿勢を保持することを特徴とする請求項１に記載の撮像装置。
【請求項３】
重力検知手段を備え、前記重力検知手段の検出結果により、姿勢に応じて安定した姿勢を保持することを特徴とする請求項１又は請求項２に記載の撮像装置。
【請求項４】
前記可動部とは撮像装置本体に対して伸縮可能なレンズ鏡筒であることを特徴とする請求項１乃至請求項３の何れか１項に記載の撮像装置。
【発明の詳細な説明】
【技術分野】
【０００１】
本発明は表示部を備えた撮像装置に関するものである。
【背景技術】
【０００２】
デジタルカメラ装置が広く普及している。一般にデジタルカメラ装置の利用者は撮影した画像を着脱式のメモリーカード又は内部メモリから印刷装置に転送してプリント写真を作成する利用方法を用いている。さらに近年、撮影した画像の利用法として、プリント写真を作成することなく、観賞用に飾ることの出来るデジタルフォトフレームが開発され、広く普及してきている。その中で撮像装置に表示部を有し、再生画を観賞可能にしたものが発明されている（特許文献１参照）。
【先行技術文献】
【特許文献】
【０００３】
【特許文献１】特開２００８−０６６９６７号公報
【発明の概要】
【発明が解決しようとする課題】
【０００４】
しかしながら、上記先行技術では表示部が載地面に対して垂直であり、ユーザーにとって観賞しづらく、見やすくなるように表示部をユーザーの視線に対して直角に近くなるように傾ける必要がある。また、縦、横との姿勢での表示が考えられるため、各姿勢に対して安定した姿勢保持方法をとる必要がある。
【課題を解決するための手段】
【０００５】
上記目的を達成するため、本発明の撮像装置は、重心位置を変えることが可能な可動部と、表示部と且つ通常撮影を行う第１のモードと撮影画像を表示する第２のモードの少なくとも２つのモードを持つ撮影装置に於いて、第１の設置面と、前記表示部を傾斜させて置くことを可能とする第２の設置面を備え前記第２のモード時に前記可動部の第１の移動量を動かすことで前記第２の設置面に於いて安定した姿勢を保持することを特徴とする。
【発明の効果】
【０００６】
上記手段により、撮像装置の表示部を再生画の観賞用として使用する際、表示部を傾け、各姿勢に対して安定した姿勢を保持することが可能である。
【図面の簡単な説明】
【０００７】
【図１】本発明の第１の実施例のカメラ撮像装置本体を示す図である。
【図２（ａ）】本発明の第１の実施例の姿勢保持方法を示す図である。
【図２（ｂ）】本発明の第１の実施例の姿勢保持方法を示す図である。
【図２（ｃ）】本発明の第１の実施例の姿勢保持方法を示す図である。
【図２（ｄ）】本発明の第１の実施例の姿勢保持方法を示す図である。
【図３】本発明の第１の実施例の動作のフローチャートである。
【発明を実施するための形態】
【０００８】
［実施例１］
以下、本発明の第１の実施例について図を参照しながら説明する。
【０００９】
図１には、本発明の撮像機器としてのカメラ撮像装置の外観を示す。カメラ撮像装置１１には、伸縮することが可能なレンズ鏡筒１２、カメラ撮像装置１１本体を起動する電源スイッチ１３、静止画の撮影をするためのレリーズ釦１４、撮影モードとその他のモードに切り替えるモード切り替えスイッチ釦１５、撮像画像を表示するディスプレイユニット１６、三脚ネジ穴１７、第一の設置面１８、載置面に対して傾斜をつけるための第一の面取り取り形状１９と第二の面取り取り形状２０が設けられている。また、カメラ撮像装置１１には、撮影モードの他に再生プレビューを表示する再生モードと、重力検知手段を備え、本体の姿勢を判別することが可能である。
【００１０】
図２(a)は撮影時の姿勢状態で、第一の設置面１８を利用して載地面に対してカメラ撮像装置１１の光軸を水平に置くことができ、安定して姿勢保持をする。この際、第一の設置面１８にある三脚ネジ穴１７を使用して三脚に取り付けることも可能である。
【００１１】
図２(b)は停止、収納時で図２(a)撮影時よりもレンズ鏡筒１２が収納されていることより、さらに安定しておくことが可能である。
【００１２】
図２(c)は横置きの再生モード時の姿勢状態で、第一の面取り形状１９を利用して載置面に対して傾斜させて設置することが可能である。表示部に傾斜を持たせ、卓上に置いた位置で表示面をユーザーの視線に対して直角に近づけることでユーザーにとって見やすくなる。前方への倒れた姿勢を安定させる為、伸縮可能なレンズ鏡筒１２を前面にくり出し、重心を第一の面取り形状１９の真上へくるようにする。
【００１３】
図２(d)は縦置きの再生モード時の姿勢状態で、第二の面取り形状２０を利用して載置面に対して傾斜させて設置することが可能である。横置き時の図２(c)に比べ重心が前面に偏っているため、レンズ鏡筒１２を図２(c)時より少し収納した位置に伸縮させることでバランスをとっている。
【００１４】
図３は本発明の第１の実施例の動作のフローチャートである。図２、図３を用いて本発明の撮像装置の動作を説明する。
【００１５】
まずステップＳ１０１で本実施形態のカメラ撮像装置１１の電源スイッチ１３が使用者により押圧操作されるとカメラ撮像装置１１が起動する。次にステップＳ１０２でモード切り替えスイッチ釦１５を操作することによりモードを切り替え、再生モードに変更する。再生モードに変更するとステップＳ１０３でカメラ撮像装置１１内に搭載されている不図示である重力検知手段により姿勢検知を行い、撮像装置が載置面に対して縦か横か判別する。姿勢が横と判別された場合、ステップＳ１０４でディスプレイユニット１６の表示を横表示に切り替える。
【００１６】
次に、ステップＳ１０５第一の面取り形状１９利用して載置面に対して撮像装置本体を傾け、安定するように設定されている横置き時レンズ鏡筒伸縮量２１にレンズ鏡筒１２を伸縮させ、図２(ｃ)のように姿勢を保持する。姿勢が縦と判別された場合、ステップＳ１０６でディスプレイユニット１６の表示を縦表示に切り替える。次に、ステップＳ１０７で第二の面取り形状２０を利用して載置面に対して撮像装置本体を傾け、安定するように設定されている縦置き時レンズ鏡筒伸縮量２２にレンズ鏡筒１２を伸縮させ、図２(ｄ)のように姿勢を保持する。ステップＳ１０８で電源オフした場合、終了処理を行う。
【００１７】
以上説明した各実施例は代表的な例にすぎず、本発明の実施に際しては、各実施例に対して種々の変形や変更が可能である。
【００１８】
例えば、レリーズ釦１４位置や、モード切り替えスイッチ釦１５の位置等の各構成要素の具体的な形状や取り付け方法は、上記実施例のものに限らず、任意に変更可能である。さらに上記実施例では、デジタルカメラについて説明したが、本発明は、ビデオカメラやカメラ機能付き携帯電話等の各種撮像機器に適用することができる。
【符号の説明】
【００１９】
１１‥‥カメラ撮像装置
１２‥‥レンズ鏡筒
１３‥‥電源スイッチ
１４‥‥レリーズ釦
１５‥‥切り替えスイッチ釦
１６‥‥ディスプレイユニット
１７‥‥三脚ネジ穴
１８‥‥第一の設置面
１９‥‥第一の面取り形状
２０‥‥第二の面取り形状
２１‥‥横置き時レンズ鏡筒伸縮量
２２‥‥縦置き時レンズ鏡筒伸縮量
【図１】
2014171135.tif 000003
【図２（ａ）】
2014171135.tif 000004
【図２（ｂ）】
2014171135.tif 000005
【図２（ｃ）】
2014171135.tif 000006
【図２（ｄ）】
2014171135.tif 000007
【図３】
2014171135.tif 000008